(57)【要約】【課題】  外観性を保ちつつ長時間の運転が可能な小型エンジンを提供することを課題とする。【解決手段】  作業機１０は、フレーム１１の後方に車輪１２を備え、フレーム１１の前方結合部１３に連結した軸１４の下部１５に備えたドーザ部１６と、軸１４の上部１７に取付けたライト１８と、フレーム１１の上方結合部１９に差込んで取付けたハンドル軸２１と、このハンドル軸２１の上方に設けた操作レバー２２を備えた操作パネル２３及びハンドル部２４と、フレーム１１の背中側上部に備えた小型エンジン３０と、この小型エンジン３０に備えた主動歯車３１と変速機３２に備えた従動歯車３３を連結する駆動チェーン３４と、変速機３２の歯車３５とスプロケット３６を連結するドライブチェーン３７と、小型エンジン３０の下方に備えた燃料タンク４０と、燃料タンク４０を形成する燃料タンク本体４１及び補助燃料タンク４２とからなる。【選択図】      図１
2005297687.tif 000002
【特許請求の範囲】
【請求項１】
下部に燃料タンク本体を備えた小型エンジンにおいて、
前記燃料タンク本体は、その給油口に着脱可能に補助燃料タンクを取付けることができる構造にし、前記補助燃料タンクは重力で内蔵する燃料を前記燃料タンク本体へ補充できるように、傾斜して前記給油口に取付けることを特徴とする小型エンジン。
【発明の詳細な説明】
【技術分野】
【０００１】
本発明は、小型の作業機に好適な小型エンジンに関するものである。
【背景技術】
【０００２】
除雪作業や農作業に用いる作業機のうちで、歩行型作業機に代表される小型の作業機では、小型化及び軽量化が求められる。作業機を小型化すると、それに伴ってエンジン及び燃料タンクを小型化する必要がある。
【０００３】
従来の小型エンジンの一例として、刈払機の動力源として適用するものが知られている（例えば、特許文献１参照。）。
【特許文献１】特開２００１−８２１５６公報  （第３−４頁、図１）
【０００４】
特許文献１を次図に基づいて説明する。
図８は従来の技術の基本構成を説明する図であり、エンジン１００は、シリンダボア１０１に沿って上下に摺動自在に動くように備えたピストン１０２が動作する燃焼室１０３と、動弁機構１０４を配置した動弁室１０５と、シリンダボア１０１の下方に備えたクランク室１０６と、エンジン１００の下方に備えた燃料タンク１０７と、この燃料タンク１０７の内部の混合燃料１０８の通る配管１０９と、混合燃料１０８を気化するダイヤフラム式気化器１１０と、下流側の吸気通路１１１と、この下流側の吸気通路１１１とクランク室１０６とを連結する外部配管１１２及びリードバルブ１１３と、動弁室１０５と上流側の吸気通路１１４とを連結する外部配管１１５とからなる。
【０００５】
燃料タンク１０７の大きさは、本来は必要とされる運転時間に応じて決定されるべきであるが、エンジン１００の全体形状、デザインなどの要素で決定されることが少なくない。
そのため、小型エンジンでは、燃料タンクが小さいため、作業が長時間にわたる場合には、作業途中での燃料切れの度にガソリンタンクを運び作業現場で補給するか又は給油場所まで戻って給油する必要があり、長時間の連続作業に対応する際に燃料補給のための労力や手間がかかる。
【０００６】
この対策として、小さなエンジンに大きな燃料タンクを備えようとすれば、小型エンジンの外観性が損なわれる虞がある。そこで、小型エンジンの外観性を保ちつつ、運転時間を延長することができる必要となる。
【発明の開示】
【発明が解決しようとする課題】
【０００７】
本発明は、外観性を保ちつつ長時間の運転が可能な小型エンジンを提供することを課題とする。
【課題を解決するための手段】
【０００８】
請求項１に係る発明は、下部に燃料タンク本体を備えた小型エンジンにおいて、
燃料タンク本体は、その給油口に着脱可能に補助燃料タンクを取付けることができる構造にし、補助燃料タンクは重力で内蔵する燃料を燃料タンク本体へ補充できるように、傾斜して給油口に取付けることを特徴とする。
【発明の効果】
【０００９】
請求項１に係る発明では、小さな燃料タンク本体を備えた小型エンジンに、長時間運転が予想される若しくはその他必要なときに、補助燃料タンクを付設する。補助燃料タンクを付設することにより、エンジンの運転時間を延長することができる。
【００１０】
補助燃料タンクは小型エンジンよりは十分に小型にできる。そのため、小型エンジンに、補助燃料タンクを付設しても、小型エンジンの外観性を損なう虞は少ない。
したがって、請求項１によれば外観性を保ちつつ長時間の運転が可能な小型エンジンを提供することができる。
【発明を実施するための最良の形態】
【００１１】
本発明を実施するための最良の形態を添付図に基づいて以下に説明する。
図１は本発明に係る作業機の一例を示す側面図であり、作業機１０は、フレーム１１の後方に車輪１２を備え、フレーム１１の前方結合部１３に連結した軸１４の下部１５に備えたドーザ部１６と、軸１４の上部１７に取付けたライト１８と、フレーム１１の上方結合部１９に差込んで取付けたハンドル軸２１と、このハンドル軸２１の上方に設けた操作レバー２２を備えた操作パネル２３及びハンドル部２４と、フレーム１１の背中側上部に備えた小型エンジン３０と、この小型エンジン３０に備えた主動歯車３１と変速機３２に備えた従動歯車３３を連結する駆動チェーン３４と、変速機３２の歯車３５とスプロケット３６を連結するドライブチェーン３７と、小型エンジン３０の下方に備えた燃料タンク４０と、燃料タンク４０を形成する燃料タンク本体４１及び補助燃料タンク４２とからなる。
【００１２】
作業者は、作業機１０の後方（図１の向って右側）からハンドル部２４を持って作業機１０を前進させ、ドーザ部１６を用いて、例えば除雪作業や土砂の運搬作業を行うことができる。
【００１３】
補助燃料タンク４２は、重力で内蔵する燃料を燃料タンク本体４１へ補充できるように傾斜して燃料タンク本体４１へ取付けることを特徴とする。
燃料タンク本体４１の容積と補助燃料タンク４２の容積との合計がタンク容量となり、多量の燃料で小型エンジン３０を長時間にわたって運転させることができる。
【００１４】
また、補助燃料タンク４２は、燃料ポンプが不要であるため、小型エンジン３０の構造を簡便にすることができる。
さらに、補助燃料タンク４２は小型エンジン３０よりは十分に小型にできる。そのため、小型エンジン３０に、補助燃料タンク４２を付設しても、小型エンジン３０の外観性を損なう虞は少ない。
【００１５】
図２は燃料タンク本体と補助燃料タンクとの結合部の断面図であり、小型エンジン３０に連結する燃料タンク４０は、燃料タンク本体４１と補助燃料タンク４２とを着脱可能に取付けることができる構造体である。すなわち、燃料タンク本体４１と補助燃料タンク４２との結合構造物は、燃料タンク本体４１の給油口４３に嵌合した補助燃料タンク４２の円筒形の嵌合部４４と、この円筒形の嵌合部４４と給油口４３をシールする目的で備えた補助燃料タンク４２の外周端部に備えたＯリング４５と、結合を完全に行うために嵌合する燃料タンク本体４１の外側ねじ部４６と補助燃料タンク４２に備えた袋ナット４７及び内側ねじ部４８とからなる。
なお、４９は燃料タンク本体４１の固定部材である。
【００１６】
図３は空になった燃料を補給するための作用の初期状態を示す図である。
作業機１０は、ハンドル部２４を持って矢印Ａの如く９０度回転させると、ハンドル先端部５１を地面５２に接触させることができ、燃料タンク本体４１に結合する補助燃料タンク４２を下向きにすることができる。
小型エンジン３０は３６０度回転自在な仕様のために、作業機１０を回転させても問題無い。
【００１７】
図４は新旧の補助燃料タンクを交換する作用図である。
作業機１０は、ハンドル先端部５１を地面５２に接触させたままの状態で、空の補助燃料タンク４２を矢印Ｂの如く給油口４３から取外し、新しい補助燃料タンク４２を矢印Ｃの如く給油口４３に取付けることにより、補助燃料タンク４２の交換を行うことができる。
【００１８】
図５は補助燃料タンクを外して作業機を使用する場合の作用図である。
作業機１０は、燃料タンク本体４１の中に補助燃料タンク４２内の燃料を補給した後に、矢印Ｄの如く給油口４３から補助燃料タンク４２を取外し、続いてキャップ５３を矢印Ｅの如く給油口４３に嵌合させた状態で運転することができる。
【００１９】
この場合の作業機１０の運転は、補助燃料タンク４２の中の燃料分だけ行うことができる。また、１回使い切りの補助燃料タンク４２は、あらかじめ取外されるので、作業機１０を使い終った後の取外し忘れを防止することができる。
【００２０】
図６は補助燃料タンクの別実施例図であり、補助燃料タンク６０は、タンク本体６１の下方部横に付けた取手６２と、タンク本体６１の先方部６３に取付けた袋ナット６４と、この袋ナット６４の内側ねじ部６５と、円筒形の嵌合部６６と、この円筒形の嵌合部６６の外周端部に備えたＯリング６７と、円筒形の嵌合部６６の先端部６８に設けたアルミ箔６９とからなる構造物である。
【００２１】
補助燃料タンク６０は、取手６２を所有しているので燃料タンク本体への着脱時に取扱い易い。
また、先端にアルミ箔６９があるので、補助燃料タンク６０の中の燃料を燃料タンク本体へ補給する場合には、アルミ箔６９を破り燃料タンク本体の給油口に嵌合できるので、交換時の燃料成分の蒸発を最小限に抑えることができる。
【００２２】
図７は図１の別実施例図であり、作業機１０の構成に関する説明は符号も含めて図１の説明とほぼ同じであるために詳細を省略する。
燃料タンク４０は、燃料タンク本体４１と補助燃料タンク６０の結合したものである。
補助燃料タンク６０の詳細な構造は図６に示す説明の通りである。
この補助燃料タンク６０の交換に関しては、図３及び図４で説明したように、作業機１０のハンドル部２４を持って９０度回転させてハンドル先端部５１を地面５２に接触させ、燃料タンク本体４１に結合する補助燃料タンク６０を下向きにして、空の補助燃料タンク６０を燃料タンク本体４１の図示しない給油口４３から取外し、新しい補助燃料タンク６０を図示しない給油口４３に取付けることにより行うことができる。
【００２３】
尚、本発明の小型エンジン３０は、実施の形態では作業者が後方から連れ歩く作業機１０に適用したが、乗用作業機にも適用可能である。
【００２４】
また、補助燃料タンク４２、６０は、円筒形の嵌合部４４、６６と、Ｏリング４５、６７と、袋ナット４７、６４を備えていて燃料タンク本体４１の給油口４３に勘合できるものであれば良く、補助燃料タンク４２、６０のタンク本体の細かな形状を問わない。
【産業上の利用可能性】
【００２５】
本発明の小型エンジンは、小型の歩行型作業機に好適である。
【図面の簡単な説明】
【００２６】
【図１】本発明に係る作業機の一例を示す側面図である。
【図２】燃料タンク本体と補助燃料タンクとの結合部の断面図である。
【図３】空になった燃料を補給するための作用の初期状態を示す図である。
【図４】新旧の補助燃料タンクを交換する作用図である。
【図５】補助燃料タンクを外して作業機を使用する場合の作用図である。
【図６】補助燃料タンクの別実施例図である。
【図７】図１の別実施例を示す図である。
【図８】従来の技術の基本構成を説明する図である。
【符号の説明】
【００２７】
１０…作業機  、３０…小型エンジン  、４０…燃料タンク  、４１…燃料タンク本体  、４２…補助燃料タンク  、４３…給油口  、４４…円筒形の嵌合部  、４５…Ｏリング  、４７…袋ナット  、６０…補助燃料タンク  、６２…取手  、６４…袋ナット  、６６…円筒形の嵌合部  、６７…Ｏリング  、６９…アルミ箔。
【図１】
2005297687.tif 000003
【図２】
2005297687.tif 000004
【図３】
2005297687.tif 000005
【図４】
2005297687.tif 000006
【図５】
2005297687.tif 000007
【図６】
2005297687.tif 000008
【図７】
2005297687.tif 000009
【図８】
2005297687.tif 000010